(57)【要約】      （修正有）【課題】水ボトルホルダーとして利用可能な複合包装箱を提供する。【解決手段】複合包装箱１０は、上部に位置する上部体１１と、下部に位置する下部体１２と、周径を囲む２つの折り線１３１、１３２と、２つの折り線１３１、１３２の間に位置するテアライン１４及び上部体１１が対向する２つの側面にそれぞれ形成された２つの挟合部１５１を備え、下部体１２の一方側は、下部体１２が対向する他方側より高い、上部体１１に対して傾斜した立体矩形体を形成し、上部体１１は２つの折り線１３１、１３２を介して下部体１２の内部と接合し、複合包装箱１０を収容する空腔を形成し、２つの折り線１３１、１３２及びテアライン１４の分離によって、複合包装箱１０を分離して、それぞれ独立した上部体１１及び下部体１２を形成する。上部体１１と下部体１２との結合によって、水ボトル２１を係合固定するためのホルダーを備えた構造を形成する。【選択図】図１
0003229050.tif 000002
【実用新案登録請求の範囲】
【請求項１】
上部体及び下部体を備え、
前記上部体の一方側は、前記上部体が対向する他方側より高い、傾斜の立体矩形体を形成し、前記上部体の内部に空腔が収容され、前記上部体の空腔の周縁は第１折り線であり、
下部に位置する前記下部体の一方側は、前記下部体が対向する他方側より高い、傾斜の立体矩形体を形成し、前記下部体の内部に空腔が収容され、前記下部体の空腔の周縁は第２折り線であり、
前記下部体は、前記上部体の内部空腔に収容され、且つ、前記上部体と重ねて水ボトルのホルダーになることを特徴とする複合包装箱。
【請求項２】
前記上部体は、凹折線と、フロントプレート及びリアプレートを含み、
前記凹折線は、前記上部体の頂側に位置し、前記上部体の挟合部を剥離した後に前記挟合部の両側の挟合線が互いに挟合するにより形成され、
前記フロントプレートは前記上部体の頂側の前記凹折線の一方側に位置し、前記リアプレートは前記上部体の頂側の前記凹折線の他方側に位置することを特徴とする請求項１に記載の複合包装箱。
【請求項３】
下部体は凹溝を含み、
前記凹溝は前記下部体の一方側に形成され、第２折り線及びテアラインの分離により前記凹溝の周縁を成形することを特徴とする請求項２に記載の複合包装箱。
【請求項４】
フロントプレートの平面は、前記フロントプレートが凹折線に隣接する高い位置から前記フロントプレートが前記凹溝に隣接する低い位置まで延びて傾斜し、前記フロントプレートが形成した傾斜面の傾斜角度を形成し、水ボトルのボトル本体の側面は前記フロントプレートの平面に平らに貼り付けられて、前記水ボトル内の液体を収容する傾斜水位を形成し、前記水ボトルの蛇口はボトルネックと接合し、前記蛇口は出水口を有し、前記水ボトル内の液体の傾斜水位によって、前記水ボトル内の液体が前記出水口を介して流れ出すことを特徴とする請求項３に記載の複合包装箱。
【請求項５】
リアプレートの平面は、前記リアプレートが前記凹折線に隣接する高い位置から前記リアプレートが前記凹溝から離れる低い位置まで延びて傾斜し、前記水ボトルの底部は前記フロントプレートの平面上方に位置し、前記水ボトルの底を引き出すための空間を形成することを特徴とする請求項４に記載の複合包装箱。
【請求項６】
前記凹溝は前記水ボトルのボトルネックを係合し、下部体に囲まれた内側と上部体の頂側とが形成した溝状空間は前記水ボトルのボトル本体を収容することを特徴とする請求項５に記載の複合包装箱。
【請求項７】
第１折り線、第２折り線、挟合線及びテアラインが形成する周縁形状は、点状、線状、波状、鋸歯状、城壁状の少なくとも１つから選ばれることを特徴とする請求項５に記載の複合包装箱。
【請求項８】
立体矩形体の箱体である複合包装箱であって、
前記箱体の内部は少なくとも１つの水ボトルを収容する中空腔であり、前記箱体において、第１折り線と第２折り線の２つの平行折り線で前記箱体の周径を囲み、前記第１折り線の上側は前記箱体の上部体であり、前記第２折り線の下側は前記箱体の下部体であり、前記箱体の２つの挟合部はそれぞれ前記上部体が対向する２つの側面に形成され、前記挟合部の１つの周縁は前記第１折り線の上側と連結し、
前記第１折り線と前記第２折り線は傾斜の方式で前記箱体が対向する両側に分布され、前記第１折り線と前記第２折り線は水平の方式で前記箱体が対向する別の両側に分布され、前記第１折り線はテアラインを介して前記第２折り線と接続することを特徴とする複合包装箱。
【請求項９】
前記挟合部の両側は２つの挟合線を有し、前記２つの挟合線の一端は共同で前記上部体の頂側周縁に接続され、前記２つの挟合線の他端はそれぞれ前記第１折り線に接続されることを特徴とする請求項８に記載の複合包装箱。
【請求項１０】
第２折り線でテアラインの位置を連結し、前記第２折り線は凹溝を形成する周縁線状であることを特徴とする請求項９に記載の複合包装箱。
【請求項１１】
第１折り線、前記第２折り線、挟合線及びテアラインが形成する周縁形状は、点状、線状、波状、鋸歯状、城壁状の少なくとも１つから選ばれることを特徴とする請求項１０に記載の複合包装箱。
【請求項１２】
上部体の頂側は折り畳んで開き可能な少なくとも１つの折り畳み板を有し、箱体の蓋板を形成することを特徴とする請求項１０に記載の複合包装箱。
【考案の詳細な説明】
【技術分野】
【０００１】
本考案は、包装箱に関わり、特に複合包装箱に関するものである。
【背景技術】
【０００２】
従来、水ボトルを収容する包装箱は、水ボトルを収容する空腔のみを提供し、包装箱から取り出された水ボトルの設置位置の高さ又は傾斜に対して、包装箱はそれ以上の機能を提供できない。
【０００３】
従来、水ボトルを収容する包装箱は、水ボトルを支持する構造に対して、支持構造から水ボトルを置く又は取るために、別の支持構造を利用する必要がり、水ボトルを収容する包装箱の機能のみで、水ボトルを直接的に置く又は取ることができない。
【考案の概要】
【考案が解決しようとする課題】
【０００４】
本考案は、従来技術の問題を解決するために、複合包装箱を提供する。
【課題を解決するための手段】
【０００５】
本考案の目的は複合包装箱を提供し、その中に収容される水ボトルが複合包装箱の分解と組み立てにより、変形後の支持構造を形成し、よって、複合包装箱の分解と組み立てによって達成できる具体的な機能は、水ボトルが滑らないように、水ボトルを係合固定する機能と、水ボトル中の液体を持続的に流れ出すように、水ボトルの特定の傾斜角度を形成する機能と、水ボトルを容易に取り出すために、水ボトルを置く又は取るためのリアプレートとフロントプレートを有すること、及び、複合包装箱の分解と組み立てによって、元の複合包装箱以外の別の材料で形成する必要がないことであるので、複合包装箱は、水ボトルを収容包装するに加えて、ホルダーとしても機能する。
【０００６】
本考案は、従来技術の問題を解決するために採用される技術手段であり、該技術手段は複合包装箱を提供し、前記複合包装箱は上部体及び下部体を備え、前記上部体の一方側は、前記上部体が対向する他方側より高い、傾斜の立体矩形体を形成し、前記上部体の内部に空腔が収容され、前記上部体の空腔の周縁は第１折り線であり、前記下部体は前記複合包装箱の下部に位置し、前記下部体の一方側は、前記下部体が対向する他方側より高い、傾斜の立体矩形体を形成し、前記下部体の内部に空腔が収容され、前記下部体の空腔の周縁は第２折り線であり、前記下部体は、前記上部体の内部空腔に収容され、且つ、前記上部体と重ねて水ボトルのホルダーになる。
【０００７】
本考案の実施例にかかる複合包装箱において、前記上部体は、凹折線と、フロントプレート及びリアプレートを含み、前記凹折線は、前記上部体の頂側に位置し、前記上部体の挟合部を剥離した後に前記挟合部の両側の挟合線が互いに挟合するにより形成され、前記フロントプレートは前記上部体の頂側の前記凹折線の一方側に位置し、前記リアプレートは前記上部体の頂側の前記凹折線の他方側に位置する。
【０００８】
本考案の実施例にかかる複合包装箱において、前記下部体は凹溝を含み、前記凹溝は前記下部体の一方側に形成され、前記第２折り線及びテアラインの分離により前記凹溝の周縁を成形する。
【０００９】
本考案の実施例にかかる複合包装箱において、前記フロントプレートの平面は、前記フロントプレートが前記凹折線に隣接する高い位置から前記フロントプレートが前記凹溝に隣接する低い位置まで延びて傾斜し、前記フロントプレートが形成した傾斜面の傾斜角度を形成し、前記水ボトルのボトル本体の側面は前記フロントプレートの平面に平らに貼り付けられて、前記水ボトル内の液体を収容する傾斜水位を形成し、前記水ボトルの蛇口はボトルネックと接合し、前記蛇口は出水口を有し、前記水ボトル内の液体の傾斜水位によって、前記水ボトル内の液体が前記出水口を介して流れ出す。
【００１０】
本考案の実施例にかかる複合包装箱において、前記リアプレートの平面は前記リアプレートが前記凹折線に隣接する高い位置から前記リアプレートが前記凹溝から離れる低い位置まで延びて傾斜し、前記水ボトルの底部は前記フロントプレートの平面上方に位置し、前記水ボトルの底を引き出すための空間を形成する。
【００１１】
本考案の実施例にかかる複合包装箱において、前記凹溝は前記水ボトルのボトルネックを係合し、前記下部体に囲まれた内側と前記上部体の頂側とが形成した溝状空間は前記水ボトルのボトル本体を収容する。
【００１２】
本考案の実施例にかかる複合包装箱において、前記第１折り線、前記第２折り線、前記挟合線及び前記テアラインが形成する周縁形状は、点状、線状、波状、鋸歯状、城壁状の少なくとも１つから選ばれる。
【００１３】
本考案の実施例にかかる複合包装箱は、立体矩形体の箱体である。前記箱体の内部は少なくとも１つの水ボトルを収容する中空腔であり、前記箱体において、第１折り線と第２折り線の２つの平行折り線で前記箱体の周径を囲み、前記第１折り線の上側は前記箱体の上部体であり、第２折り線の下側は前記箱体の下部体であり、前記箱体の２つの挟合部はそれぞれ前記上部体が対向する２つの側面に形成され、前記挟合部の１つの周縁は前記第１折り線の上側と連結する。なお、前記第１折り線と前記第２折り線は傾斜の方式で前記箱体が対向する両側に分布され、前記第１折り線と前記第２折り線は水平の方式で前記箱体が対向する別の両側に分布され、前記第１折り線はテアラインを介して前記第２折り線と接続する。
【００１４】
本考案の実施例にかかる複合包装箱において、前記挟合部の両側は２つの挟合線を有し、前記２つの挟合線の一端は共同で前記上部体の頂側周縁に接続され、前記２つの挟合線の他端はそれぞれ前記第１折り線に接続される。
【００１５】
本考案の実施例にかかる複合包装箱において、前記第２折り線でテアラインの位置を連結し、前記第２折り線は凹溝を形成する周縁線状である。
【００１６】
本考案の実施例にかかる複合包装箱において、前記第１折り線、前記第２折り線、前記挟合線及び前記テアラインが形成する周縁形状は、点状、線状、波状、鋸歯状、城壁状の少なくとも１つから選ばれる。
【００１７】
本考案の実施例にかかる複合包装箱において、前記上部体の頂側は折り畳んで開き可能な少なくとも１つの折り畳み板を有し、前記箱体の蓋板を形成する。
【図面の簡単な説明】
【００１８】
【図１】図１は分解することなく組み立てる前の本考案の実施例にかかる複合包装箱を示す図である。
【図２】図２は上部体及び下部体に分解した本考案の実施例にかかる複合包装箱を示す図である。
【図３】図３は上部体及び下部体をホルダー構造に組み立てた本考案の実施例にかかる複合包装箱を示す図である。
【図４】図４はホルダー構造が水ボトルを係合した本考案の実施例にかかる複合包装箱を示す図である。
【考案を実施するための形態】
【００１９】
以下は、図１〜図４に基づいて本考案の実施形態を説明する。該説明は、本考案の実施形態を制限するものではなく、本考案の実施例の１つである。
【００２０】
図１は分解することなく組み立てる前の本考案の実施例にかかる複合包装箱１０を示す図である。複合包装箱１０は、上部体１１と、下部体１２と、第１折り線１３２と、第２折り線１３１と、テアライン１４及び２つの挟合部１５１を備える。なお、上部体１１は前記複合包装箱１０の上部に位置し、前記上部体１１の一方側は前記上部体１１が対向する他方側より高い、傾斜の立体矩形体を形成する。下部体１２は前記複合包装箱１０の下部に位置し、前記下部体１２の一方側は前記下部体１２が対向する他方側より高い、前記上部体１１に対して傾斜した立体矩形体を形成する。第１折り線１３２と第２折り線１３１は前記複合包装箱１０の周径を囲み、前記第１折り線１３２と前記第２折り線１３１は傾斜の方式で前記複合包装箱１０が対向する両側に分布され、前記第１折り線１３２と前記第２折り線１３１は水平の方式で前記複合包装箱１０が対向する両側に分布される。また、前記上部体１１は前記第１折り線１３２と前記第２折り線１３１を介して下部体１２の内部と接合し、前記複合包装箱１０を収容する空腔を形成する。テアライン１４は前記第１折り線１３２と前記第２折り線１３１との間に位置し、前記第１折り線１３２、前記第２折り線１３１及び前記テアライン１４の分離によって、前記複合包装箱１０を分離して、それぞれ独立した前記上部体１１及び前記下部体１２を形成する。２つの挟合部１５１はそれぞれ前記上部体１１が対向する２つの側面に形成され、前記第１折り線１３２と前記第２折り線１３１が傾斜の方式で前記複合包装箱１０の対向の両側に分布された側面とは同じ側面である。
【００２１】
図２は上部体１１及び下部体１２に分解した本考案の実施例にかかる複合包装箱１０を示す図である。複合包装箱１０の前記上部体１１は、凹折線１６５と、フロントプレート１６４及びリアプレートを含む。前記凹折線１６５は、前記上部体１１の頂側に位置し、前記挟合部１５１を剥離した後、前記挟合部１５１の両側の前記挟合線１５が互いに挟持するにより形成される。前記フロントプレート１６４は、前記上部体１１の頂側の前記凹折線１６５の一方側に位置する。前記リアプレートは、前記上部体１１の頂側の前記凹折線１６５の他方側に位置する。よって、前記上部体１１は前記凹折線１６５により折り畳まれた後、前記上部体１１の前部１６２及び後部１６１を形成する。前記フロントプレート１６４は前記上部体１１の前部１６２の頂側に位置し、リアプレート１６３は前記上部体１１の後部１６１の頂側に位置する。
【００２２】
図２は上部体１１及び下部体１２に分解した本考案の実施例にかかる複合包装箱１０を示す図である。複合包装箱１０において、前記下部体１２は凹溝１７を含み、前記凹溝１７は、前記第１折り線１３２と、前記第２折り線１３１及び前記テアライン１４の分離によって、前記下部体１２の一方側に形成される。
【００２３】
図３は上部体１１及び下部体１２をホルダー構造に組み立てた本考案の実施例にかかる複合包装箱１０を示す図である。前記複合包装箱１０は、分離後のぞれぞれが独立した前記上部体１１と前記下部体１２との結合によって、水ボトル２１を係合固定するためのホルダーを備えた構造を形成し、前記フロントプレート１６４は前記凹溝１７隣接して前記下部体１２に配置され、前記リアプレートは前記凹溝１７から離れて前記下部体１２に配置される。
【００２４】
図１、図２、図３及び図４に示すように、本考案の実施例にかかる複合包装箱１０において、前記上部体１１と前記下部体１２との結合により形成されたホルダーを備える構造では、前記フロントプレート１６４の平面は、前記フロントプレート１６４が前記凹折線１６５に隣接する高い位置から前記フロントプレート１６４が前記凹溝１７に隣接する低い位置まで延びて傾斜し、前記フロントプレート１６４が形成した傾斜面の傾斜角度を形成する。前記水ボトル２１のボトル本体の側面は前記フロントプレート１６４の平面に平らに貼り付けられて、前記水ボトル２１内の液体を収容する傾斜水位を形成する。前記水ボトル２１の蛇口３０はボトルネック２２と接合する。前記蛇口３０は出水口３１を有し、前記水ボトル２１内の液体の傾斜水位によって、前記水ボトル２１内の液体が前記出水口３１を介して流れ出す。
【００２５】
図１、図２、図３及び図４に示すように、本考案の実施例にかかる複合包装箱１０において、前記上部体１１と前記下部体１２との結合により形成されたホルダーを備える構造では、前記リアプレートの平面は、前記リアプレートが前記凹折線１６５に隣接する高い位置から前記リアプレートが前記凹溝１７から離れる低い位置まで延びて傾斜し、前記水ボトル２１の底部は前記フロントプレート１６４の平面上方に位置し、前記水ボトル２１の底２４を引き出すための空間を形成する。
【００２６】
図１、図２、図３及び図４に示すように、本考案の実施例にかかる複合包装箱１０において、前記上部体１１と前記下部体１２との結合により形成されたホルダーを備える構造では、前記水ボトル２１のボトルネック２２は前記凹溝１７に係合され、前記水ボトル２１のボトル本体は、前記下部体１２に囲まれた内側と上部体１１の頂側とが形成した空間に収容される。
【００２７】
図１、図２、図３及び図４に示すように、本考案の実施例にかかる複合包装箱１０において、前記第１折り線１３２、前記第２折り線１３１、前記挟合線１５及び前記テアライン１４を容易に分離できるように、前記第１折り線１３２、前記第２折り線１３１、前記挟合線１５及び前記テアライン１４が形成する周縁形状は、点状、線状、波状、鋸歯状、城壁状の少なくとも１つから選ばれる。
【００２８】
図１、図２、図３及び図４に示すように、本考案の実施例にかかる複合包装箱は、立体矩形体の箱体である。前記箱体の内部は、少なくとも１つの水ボトル２１を収容する中空腔であり、前記箱体において、第１折り線１３２と第２折り線１３１の２つの平行折り線で前記箱体の周径を囲み、前記第１折り線１３２の上側は前記箱体の上部体１１であり、第２折り線１３１の下側は前記箱体の下部体１２であり、前記箱体の２つの挟合部１５１はそれぞれ、前記上部体１１が対向する２つの側面に形成され、前記挟合部１５１の１つの周縁は前記第１折り線１３２の上側と連結する。なお、前記第１折り線１３２と前記第２折り線１３１は傾斜の方式で前記箱体が対向する両側に分布され、前記第１折り線１３２と前記第２折り線１３１は水平の方式で前記箱体が対向する別の両側に分布され、前記第１折り線１３２はテアライン１４を介して前記第１折り線１３２と接続する。
【００２９】
図１、図２、図３及び図４に示すように、本考案の実施例にかかる複合包装箱は箱体である。前記上部体１１の頂側は折り畳んで開き可能な少なくとも１つの折り畳み板１１１を有し、前記箱体の蓋板を形成する。
【００３０】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００３１】
１０…複合包装箱
１１…上部体
１１１…折り畳み板
１２…下部体
１３２…第１折り線
１３１…第２折り線
１４…テアライン
１５…挟合線
１５１…挟合部
１６１…後部
１６２…前部
１６３…リアプレート
１６４…フロントプレート
１６５…凹折線
１７…凹溝
２１…水ボトル
２２…ボトルネック
２４…底
３０…蛇口
３１…出水口
【図１】
0003229050.tif 000003
【図２】
0003229050.tif 000004
【図３】
0003229050.tif 000005
【図４】
0003229050.tif 000006